(57)【要約】【課題】  配置・交換の自由をより高めた照明制御システムを提供することを解決すべき課題とする。【解決手段】  １または複数の入力部を含む操作装置と、複数の照明装置と、を備える照明制御システムであって、操作装置は、照明装置に対する操作信号の生成を行う信号生成手段と、通信部および無線ネットワークを介して、操作信号および入力部を識別するための識別情報を、送受信する信号通信手段と、を備え、照明装置は、受信した前記操作信号および識別情報を格納する信号管理手段と、操作信号に基いて、照明装置の照度を調整する照度調整手段と、を備えることを特徴とする。【選択図】図１
2019212593.tif 000002
【特許請求の範囲】
【請求項１】
１または複数の入力部を含む操作装置と、複数の照明装置と、を備える照明制御システムであって、
前記操作装置は、前記照明装置に対する操作信号の生成を行う信号生成手段と、
通信部および無線ネットワークを介して、前記操作信号および前記入力部を識別するための識別情報を送受信する信号通信手段と、を備え、
前記照明装置は、受信した前記操作信号および前記識別情報を格納する信号管理手段と、
前記操作信号に基いて、前記照明装置の照度を調整する照度調整手段と、を備えることを特徴とする照明制御システム。
【請求項２】
前記信号管理手段は、前記入力部の操作により、前記入力部に対応付けられた前記識別情報を、有効識別情報として登録することを特徴とする請求項１に記載の照明制御システム。
【請求項３】
前記照度調整手段は、前記有効識別情報として登録された、前記識別情報に対応付けられた前記操作信号に基づき、前記照明装置の照度を調整することを特徴とする請求項２に記載の照明制御システム。
【請求項４】
前記信号生成手段は、パルス幅変調信号を生成し、
前記識別情報と、前記パルス幅変調信号を含む前記操作信号と、を対応付けることを特徴とする請求項２または３に記載の照明制御システム。
【請求項５】
前記信号通信手段は、前記識別情報を前記照明装置が受信した際、前記照明装置の照度に係る情報を、前記操作装置に送信し、
前記信号生成手段は、複数の前記照明装置の内、所定の照度を有し、点灯状態を示す前記照明装置が１以上有る場合、少なくとも、点灯状態を示す前記照明装置を、消灯状態に遷移させる操作信号を生成し、
複数の前記照明装置の内、所定の照度を有し、点灯状態を示す前記照明装置が無い場合、複数の前記照明装置を全て点灯状態に遷移させる操作信号を生成することを特徴とする請求項２〜４のいずれかに記載の照明制御システム。
【請求項６】
前記信号生成手段は、所定の点滅パターンを示す前記操作信号を、生成し、
前記照度調整手段は、前記点滅パターンに基づき、前記照明装置の照度を調整することを特徴とする請求項１〜５のいずれかに記載の照明制御システム。
【請求項７】
１または複数の入力部を含む操作装置と、複数の照明装置と、を備える照明制御方法であって、
前記操作装置は、前記照明装置に対する操作信号の生成を行う信号生成ステップと、
通信部および無線ネットワークを介して、前記操作信号および前記入力部を識別するための識別情報を、送受信する信号通信ステップと、を備え、
前記照明装置は、受信した前記操作信号および前記識別情報を格納する信号管理ステップと、
前記操作信号に基いて、前記照明装置の照度を調整する照度調整ステップと、を備えることを特徴とする照明制御方法。
【請求項８】
１または複数の入力部を含む操作装置と、複数の照明装置と、を備える照明制御プログラムであって、
前記操作装置を、前記照明装置に対する操作信号の生成を行う信号生成手段と、
通信部と無線ネットワークを介して、前記操作信号および前記入力部を識別するための識別情報を送受信する信号通信手段と、として機能させ、
前記照明装置を、受信した前記操作信号および前記識別情報を格納する信号管理手段と、
前記操作信号に基いて、前記照明装置の照度を調整する照度調整手段と、として機能させることを特徴とする照明制御プログラム。
【発明の詳細な説明】
【技術分野】
【０００１】
本発明は、照明制御システム、照明制御方法および照明制御プログラムに関する。
【背景技術】
【０００２】
従来から、屋内環境における、居住者の健康、快適性または生産性の改善を目的として、屋内の照明装置を、無線ネットワーク環境下に置く試みがなされている。
【０００３】
また、ユーザごとに適切な調光を行うために、照明装置の調光を制御する調光制御装置であって、前記照明装置に対応する位置情報を受信した無線端末から、前記無線端末が受信した位置情報を取得する位置情報取得手段と、前記位置情報取得手段により得られた位置情報に基づき、前記無線端末から所定範囲に含まれる照明装置の調光を、前記無線端末ごとに設定された目標照度に応じて制御する調光制御手段とを有する調光制御装置に関する技術が知られている（引用文献１）。
【先行技術文献】
【特許文献】
【０００４】
【特許文献１】特願２０１２―２０５１０９
【発明の概要】
【発明が解決しようとする課題】
【０００５】
しがしながら、照明装置および操作装置を、無線ネットワーク環境下に置く際、信号中継の用に供される通信装置の配置が、要される場合がある。このとき、照明装置および操作装置は、通信装置を起点とした通信可能範囲内での配置が要される。
【０００６】
また、複数の中継装置を配置し、リレー形式で無線通信を実施した場合、無線通信可能範囲は拡充されるものの、中継装置の配置により、その他の用に供される家具等の空間配置自由度が制限される恐れがある。
【０００７】
さらに、故障に伴う、操作装置または照明装置の交換作業を行う際、操作装置または照明装置の交換が容易であることが、求められる。
【０００８】
本発明は、上記のような実情に鑑みてなされたものであり、配置・交換の自由をより高めた照明制御システムを提供することを、解決すべき課題とする。
【課題を解決するための手段】
【０００９】
上記課題を解決するために、本発明は、１または複数の入力部を含む操作装置と、複数の照明装置と、を備える照明制御システムであって、操作装置は、照明装置に対する操作信号の生成を行う信号生成手段と、通信部および無線ネットワークを介して、操作信号および入力部を識別するための識別情報を送受信する信号通信手段と、を備え、照明装置は、受信した操作信号および識別情報を格納する信号管理手段と、操作信号に基いて、照明装置の照度を調整する照度調整手段と、を備えることを特徴とする。
【００１０】
このような構成とすることで、信号中継の用に供される通信装置を、別途、配置することなく、同一の照明装置に対して、複数の操作装置と、無線ネットワークと、を介した、照明制御を実現する。
【００１１】
本発明の好ましい形態では、信号管理手段は、入力部の操作により、入力部に対応付けられた識別情報を、有効識別情報として登録することを特徴とする。
このような構成とすることで、照明装置ごとに、操作装置を登録することができる。
【００１２】
本発明の好ましい形態では、照度調整手段は、有効識別情報として登録された、識別情報に対応付けられた操作信号に基づき、照明装置の照度を調整することを特徴とする。
このような構成とすることで、照明装置ごとに登録された操作装置を介した、照明操作の操作を受け付けることができる。
【００１３】
本発明の好ましい形態では、信号生成手段は、パルス幅変調信号を生成し、前記識別情報と、前記パルス幅変調信号を含む前記操作信号と、を対応付けることを特徴とする。
このような構成とすることで、照明装置または操作装置の電力効率を損なわず、照明制御できる。
【００１４】
本発明の好ましい形態では、信号通信手段は、識別情報を照明装置が受信した際、照明装置の照度に係る情報を、操作装置に送信し、信号生成手段は、複数の照明装置の内、所定の照度を有し、点灯状態を示す照明装置が１以上有る場合、少なくとも、点灯状態を示す照明装置を、消灯状態に遷移させる操作信号を生成し、複数の照明装置の内、所定の照度を有し、点灯状態を示す照明装置が無い場合、複数の照明装置を全て点灯状態に遷移させる操作信号を生成することを特徴とする。
このような構成とすることで、複数の照明装置を一括して制御できる。
【００１５】
本発明の好ましい形態では、信号生成手段は、所定の点滅パターンを示す操作信号を、生成し、照度調整手段は、点滅パターンに基づき、照明装置の照度を調整することを特徴とする。
このような構成とすることで、照明装置と操作装置と、のペアリング処理の結果について、視認性を担保した上で、ユーザに通知することができる。
【００１６】
本発明は、１または複数の入力部を含む操作装置と、複数の照明装置と、を備える照明制御方法であって、操作装置は、照明装置に対する操作信号の生成を行う信号生成ステップと、通信部および無線ネットワークを介して、操作信号および入力部を識別するための識別情報を、送受信する信号通信ステップと、を備え、照明装置は、受信した操作信号および識別情報を格納する信号管理ステップと、操作信号に基いて、照明装置の照度を調整する照度調整ステップと、を備えることを特徴とする照明制御方法。
【００１７】
本発明は、１または複数の入力部を含む操作装置と、複数の照明装置と、を備える照明制御プログラムであって、操作装置を、照明装置に対する操作信号の生成を行う信号生成手段と、通信部と無線ネットワークを介して、操作信号および入力部を識別するための識別情報を送受信する信号通信手段と、として機能させ、照明装置を、受信した操作信号および識別情報を格納する信号管理手段と、操作信号に基いて、照明装置の照度を調整する照度調整手段と、として機能させることを特徴とする照明制御プログラム。
【発明の効果】
【００１８】
本発明によれば、空間配置自由度を維持しながら、操作装置と、無線ネットワークと、を介して、調光等を含む照明装置の操作ができる。
【図面の簡単な説明】
【００１９】
【図１】本発明の実施形態に係る照明制御システムの構成図の一例を示す図である。
【図２】本発明の実施形態に係る照明制御システムの構成図の一例を示す図である。
【図３】本発明の実施形態に係る識別情報の一例を示す図である。
【図４】本発明の実施形態に係る操作装置の一例を示す図である。
【図５】本発明の実施形態に係る照明および有効識別情報管理を行う際の処理フローチャートである。
【図６】本発明の実施形態に係る照明制御の処理の一例を示すシーケンス図である。
【図７】本発明の実施形態に係る照明制御および有効識別情報管理を行う際の信号管理の一例を示す図である。
【発明を実施するための形態】
【００２０】
以下、図面を用いて、本発明に係る照明制御システム１について説明する。なお、以下に示す実施形態は本発明の一例であり、本発明を以下の実施形態に限定するものではなく、様々な構成を採用することもできる。
【００２１】
本実施形態では、屋内環境ＥＮＶにおいて、複数の操作装置２を介して、複数の照明装置３を制御する場合について説明する。操作装置２および照明装置３が、１対１、１対多又は多対１の場合であっても、本願に係る照明制御方法を利用することが可能である。
【００２２】
図１は、本発明の実施形態に係る照明制御システム１の使用例を示す。照明制御システム１は、操作装置２と、照明装置３と、により構成される。屋内環境ＥＮＶには、操作装置２（２Ａ、２Ｂ、２Ｃ）および照明装置３（３Ａ、３Ｂ、３Ｃ）が配置される。
【００２３】
なお、一軒家、マンション、アパート等の住宅環境、または、ホテル、ホール等の商業利用施設において利用することができ、照明制御システム１が利用されるサービス形態には、特に制限はない。
【００２４】
図２は、本発明の実施形態に係る照明制御システム１の概要を示す図である。図２（ａ）は、照明制御システム１のハードウェア構成図を示す。操作装置２は、交流電圧源により駆動する操作回路Ｃ２を有する。操作回路Ｃ２は、電源モジュールＣ２１と、操作モジュールＣ２２とを、有する。
【００２５】
電源モジュールＣ２１は、交流電圧１００∨を直流電圧１２∨に変換するＡＣ／ＤＣコンバータと、直流電圧１２∨に降圧するレギュレータとを、備える。
【００２６】
操作モジュールＣ２２は、データ処理部Ｃ２２１と、信号制御部Ｃ２２２と、通信部Ｃ２２３と、入力部Ｃ２２４とを、有する。
【００２７】
データ処理部Ｃ２２１は、フラッシュメモリ等の記憶装置と演算装置とで、構成される。さらに、データ処理部Ｃ２２１は、ＰＷＭ（Ｐｕｌｓｅ  Ｗｉｄｔｈ  Ｍｏｄｕｌａｔｉｏｎ）指示信号Ｓｐを含む、操作信号を記憶し、操作装置２が有する入力部を識別するための、識別情報も併せて記憶する。
【００２８】
信号制御部Ｃ２２２は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）等のスイッチ素子を含み、ＰＷＭ指示信号Ｓｐに基いて、スイッチ素子のオン／オフを制御することにより、入力された直流電圧をＰＷＭ信号Ｓｐｗｍに変換する。このとき、ローパスフィルタ等のフィルタ回路を挿入することで、ノイズを含むＰＷＭ信号Ｓｐｗｍを復調するような構成が好ましい。なお、ＰＷＭ制御における、ＰＷＭ周期およびデューティ比の上限と下限については、特に制限はない。
【００２９】
通信部Ｃ２２３は、アンテナ、高周波回路および発振回路を含む無線通信モジュールを有する。また、通信部Ｃ２２３は、ＭＡＣ（Ｍｅｄｉａ  Ａｃｃｅｓｓ  Ｃｏｎｔｒｏｌ）アドレスや、データ処理部Ｃ２２１に格納された専用ファームウェア等を併せて備え、ＰＷＭ信号Ｓｐｗｍを含む操作信号、ならびに識別情報の送受信に供される。なお、演算装置が、信号制御部Ｃ２２２における、ＰＷＭ信号Ｓｐｗｍを生成する機能を、代行するような構成としてもよい。また、データ処理部Ｃ２２１、信号制御部Ｃ２２２ならび通信部Ｃ２２３を構成する、種々の回路素子に、特に制限はない。
【００３０】
照明装置３は、照明回路Ｃ３を有する。照明回路Ｃ３は、電源モジュールＣ３１と、照明モジュールＣ３２とを、有する。電源モジュールＣ３１は、交流電圧１００∨を直流電圧１２∨に変換するＡＣ／ＤＣコンバータを備える。なお、当該直流電圧は、照明回路Ｃ３の構成に応じて、レギュレータ等により降圧されることが好ましい。
【００３１】
照明モジュールＣ３２は、データ処理部Ｃ３２１と、照明部Ｃ３２２と、通信部Ｃ３２３と、信号制御部Ｃ３２４とを、有する。
【００３２】
データ処理部Ｃ３２１は、操作モジュールＣ２２から送信されたＰＷＭ信号Ｓｐｗｍおよび識別情報を記憶する。
【００３３】
照明部Ｃ３２２は、操作モジュールＣ２２から送信された、ＰＷＭ信号Ｓｐｗｍに基いて、点灯、消灯、調光を含む、ＬＥＤ（Ｌｉｇｈｔ  Ｅｍｉｔｔｉｎｇ  Ｄｉｏｄｅ）光源の照度調整を行う。このとき、温度補償回路等を挿入し、照明部Ｃ３２２の温度上昇や、周囲温度の変化による、照度変動を補正するような構成としてもよい。照明制御に係るフィードバック回路に、特に制限はない。
また、信号制御部Ｃ２２２が有する機能の一部は、信号制御部Ｃ３２４が代替するような構成としてもよい。そのとき、操作装置２は、通信部Ｃ２２３を介して、ＰＷＭ指示信号Ｓｐを送信し、照明装置３における信号制御部Ｃ３２４が、ＰＷＭ指示信号Ｓｐに基いて、ＰＷＭ信号Ｓｐｗｍを生成する。
【００３４】
照明部Ｃ３２２は、１または複数の、特定波長の光波を放出する化合物半導体を材料とするＬＥＤ素子で構成される。なお、ＬＥＤ素子は、蛍光体を具備する構成としてもよい。さらに、照明部Ｃ３２２を構成するＬＥＤチップの外観については、ＣＯＢ（Ｃｈｉｐ  Ｏｎ  Ｂｏａｒｄ）やＳＭＤ（Ｓｕｒｆａｃｅ  Ｍｏｕｎｔ  Ｄｅｖｉｃｅ）等のパッケージング方法や、蛍光体、封入樹脂の有無について、特に制限はない。また、照明モジュールＣ３２の外観についても、電球形、テープ形等、特に制限はない。
【００３５】
通信部Ｃ２２３およびＣ３２３は、２．４ＧＨｚの周波数帯域を用いて、無線通信を行う。このとき、Ｂｌｕｅｔｏｏｔｈ（登録商標）やＺｉｇｂｅｅ（登録商標）等の無線通信規格、メッシュネットワーク形式や、Ｐ２Ｐ（Ｐｅｅｒ  ｔｏ  Ｐｅｅｒ）形式等、種々の無線通信の構成としてもよい。本発明の実施形態に係る無線通信は、２．４ＧＨｚ帯だけでなく、５．０ＧＨｚ帯やミリ波帯等の周波数帯域を用いてもよい。
【００３６】
本発明の実施形態に係る無線通信は、操作信号および識別情報に加えて、照明部Ｃ３２２の照明ステータスに係る情報を含むフラグ情報の送受信に用いられる。このとき、照明モジュールＣ３２から送信されたフラグ情報は、データ処理部Ｃ２２１に格納される。
【００３７】
なお、本形態の実施形態に係る電圧は、直流交流を含め、商用利用の範囲で、特に制限はない。また、操作装置２および照明装置３は、消費電力の微小さから、リチウムイオンバッテリー等の二次電池、または、太陽光を含む電磁波、熱等の環境エネルギーをリソースとした発電素子により構成される電源モジュールＣ２１、Ｃ３１を有する形態としてもよい。
【００３８】
図２（ｂ）は、照明制御システム１の機能ブロック図を示す。操作装置２は、信号生成手段２０１と、信号通信手段２０２と、登録要求手段２０３とを、備える。照明装置３は、信号管理手段３０１と、信号通信手段３０２と、登録受付手段３０３と、照度調整手段３０４とを、備える。
【００３９】
信号生成手段２０１は、信号制御部Ｃ２２２において、照明制御のための操作信号の生成を行う。操作モジュールＣ２２に対するユーザ操作により、点灯、消灯または調光に係る指示が操作装置２に入力された場合、当該指示に基いて、点灯、消灯または調光に係る操作信号を生成する。操作モジュールＣ２２には、点灯、消灯、点灯／消灯、調光、等のための１または複数の入力部が設けられている。信号生成手段２０１は、入力部に対応する識別情報と、操作信号とを対応付ける。
【００４０】
本実施形態では、信号生成手段２０１において、調光を行う為の操作信号として、ＰＷＭ信号を生成するが、例えば、調光を指示する操作信号を照明装置３に受け渡し、照明装置３側で当該操作信号に基いて、ＰＷＭ信号を生成してもよい。
【００４１】
信号通信手段２０２は、通信部Ｃ２２３を介して、操作信号および識別情報の送信を行う。識別情報とは、操作装置２が有する入力部を識別するための情報である。このとき、操作信号および識別情報は、２．４ＧＨｚ帯の周波数帯域を利用した無線通信により送信される。さらに、信号通信手段２０２は、照明装置３の照明ステータスに係る情報を含むフラグ情報の受信を行う。
【００４２】
図３（ａ）は、操作装置２に格納された識別情報の一例を示す図である。１以上の入力部を有する操作パネルに対して、固有のパネル識別番号ＰＩＤが対応付けられる。さらに、入力部に対して、スイッチ識別番号ＳＩＤが対応付けられる。識別情報は、パネル識別番号ＰＩＤと、スイッチ識別番号ＳＩＤとの組合せによって構成される。
【００４３】
登録要求手段２０３は、ユーザ操作を転機として、操作装置２が有する入力部に対応付けられた識別情報を、照明装置３において、有効識別情報として登録または解除する処理命令を含む、操作信号を生成する。有効識別情報とは、識別情報の内、対応付けられた操作信号に基づき照度調整を実行する、所定の識別情報を指す。
【００４４】
信号管理手段３０１は、データ処理部Ｃ３２１において、操作信号および識別情報の管理を行う。信号管理手段３０１は、操作装置２が有する入力部に対応付けられた、識別情報を、データ処理部Ｃ３２１に格納する。さらに、信号管理手段３０１は、有効識別情報として格納された識別情報に対応付けられた操作信号を照度指示として受け付ける。
【００４５】
図３（ｂ）は、照明装置３に格納された有効識別情報の一例を示す図である。照明装置３は、識別情報を、有効識別情報として格納する。このとき、照明装置３が有効識別情報として登録できる識別情報の数量は、所定の数量を上限とすることが好ましい。
【００４６】
登録受付手段３０３は、登録要求手段２０３により有効識別情報としての登録または解除に係る処理命令の対象となる識別情報を、有効識別情報として格納する。このとき、照明装置３が有する有効識別情報の数量が所定の数量を下回る場合、当該識別情報を有効識別番号として登録する。また、当該識別情報が、有効識別情報として既に登録されていた場合、有効識別情報としての登録を解除する。さらに、照明装置３が有する有効識別情報の数量が所定の数量と同値であった場合、登録受付手段３０３は、有効識別情報としての識別情報の登録に係る処理命令を受け付けない。
【００４７】
照度調整手段３０４は、操作装置２から送信された操作信号に基づき、ＬＥＤ光源に対して、点灯、消灯、調光を含む照度調整処理を行う。このとき、信号管理手段３０１により受け付けられた、有効識別情報として登録された識別情報に対応付けられた照度指示に基づき、ＬＥＤ光源の照度を調整する。
【００４８】
図４（ａ）は、本発明の実施形態に係る操作装置２の内、点灯または消灯に係る照明制御を行うための操作装置２の一例を示す。操作装置２は、入力部Ｐ１１、１２、１３および１４を含む、操作パネルＰ１を有する。操作パネルＰ１と各入力部とはそれぞれ、パネル識別番号ＰＩＤとスイッチ識別番号ＳＩＤが対応付けられている。入力部Ｐ１１、１２、１３および１４は、タッチパネル式のインターフェイスを有し、ユーザによる押下が行われることが好ましい。
なお、ユーザ操作による入力部の指定は、ポインティングデバイスによる入力等、入力方法に、特に制限はない。
【００４９】
入力部Ｐ１１、Ｐ１２、Ｐ１３は、それぞれ、屋内環境ＥＮＶにおける照明装置３の照明制御を行う為に操作される。例えば、屋内環境ＥＮＶを、エントランス、ベッドルーム、バスルームで構成される部屋とした場合、図４（ａ）における、入力部Ｐ１１、Ｐ１２、Ｐ１３は、それぞれ、エントランス、ベッドルーム、バスルームの照明制御のための入力を受け付ける。当該照明装置３が消灯状態である場合、当該入力部の押下により、当該照明装置３は点灯状態に遷移する。一方、当該照明装置３が点灯状態である場合、当該入力部の押下により、当該照明装置３は消灯状態に遷移する。
【００５０】
入力部Ｐ１４は、屋内環境ＥＮＶにおける複数の照明装置３に対応付けられた入力部Ｐ１１、Ｐ１２、Ｐ１３の照明制御に係る入力を受け付ける。全ての照明装置３が消灯状態にある場合、入力部Ｐ１４の押下により、全ての照明装置３は点灯状態に遷移する。照明装置３が点灯状態にある場合、入力部Ｐ１４の押下により、全ての照明装置３は消灯状態に遷移する。このとき、全ての照明装置３の内、１つでも点灯状態の照明装置３があった場合、入力部Ｐ１４の押下により、全ての照明装置３は消灯状態に遷移する。
【００５１】
入力部Ｐ１１、Ｐ１２、Ｐ１３、Ｐ１４は、照明装置３を示す、外観または文字情報を示すことが好ましい。また、各入力部と照明装置３の組合せに制限はなく、複数の入力部と、同一の照明装置３とを、対応付けるような構成としてもよい。
【００５２】
図４（ｂ）は、本発明の実施形態に係る操作装置２の内、調光に係る照明制御を行うための操作装置２の一例を示す。操作装置２は、入力部Ｐ１０１、Ｐ１０２、Ｐ１０３、Ｐ１０４、Ｐ１０５およびＰ１０６を含む、操作パネルＰ２を有する。操作パネルＰ２と各入力部とはそれぞれ、パネル識別番号ＰＩＤとスイッチ識別番号ＳＩＤが対応付けられている。
【００５３】
各入力部は、それぞれ、客室としての屋内環境ＥＮＶにおける、リビングルーム、ナイトランプ（レフト）、ナイトランプ（ライト）の調光に係る入力を受け付ける。ナイトランプは、ベッドを含む寝具の近傍に設置された、照明装置３のことを指す。ナイトランプ（レフト）、ナイトランプ（ライト）は、それぞれ、２以上のナイトランプの内、ベッドの左端、右端に近接したナイトランプを指す。入力部Ｐ１０１、Ｐ１０３、Ｐ１０５は、押下により、当該照明装置３の照度を上昇させる、調光制御に係る入力を受け付ける。入力部Ｐ１０２、Ｐ１０４、Ｐ１０６は、押下により、当該照明装置３の照度を下降させる、調光に係る入力を受け付ける。
【００５４】
図４（ａ）、（ｂ）が示す、操作装置２は、操作装置２が有するＬＥＤ光源により、各入力部が点灯するような構成としてもよい。また、ユーザによる押下に応じて、各入力部の照度が上昇し、視認性を向上させるような構成としてもよい。
【００５５】
図４（ｃ）は、操作パネルＰ１の一例を図示したものである。操作パネルＰ１またはＰ２は、タッチパネル部ＰＸ１と、制御部ＰＸ２と、パネル枠ＰＸ３と、パネルボディＰＸ４と、パネル取付枠ＰＸ５と、を有する。
【００５６】
タッチパネル部ＰＸ１は、ユーザにより入力部押下が行われる際に、ユーザの指等との接触部の機能を発揮する。制御部ＰＸ２は、１または複数の入力部を、同一の基板で支持する。パネル枠ＰＸ３とパネル取付枠ＰＸ５は、操作パネルＰ１またはＰ２を、屋内環境ＥＮＶにおける壁面等に取り付けるための固定具としての機能を発揮する。パネルボディＰＸ４は、入力部と、通信部、信号制御部またはデータ処理部とを、電気的に接続する機能を発揮する。
【００５７】
本実施形態における照明制御方法の手順について、図５にて図示する。
【００５８】
図５（ａ）は、照明装置３に対する、操作装置２に対応付けられた有効識別情報の登録に係る処理を示す。
まず、操作装置２および照明装置３の電源をオンにする（ステップＳＴＥＰ１１）。
【００５９】
異なる２つの入力部が押下された場合（ステップＳＴＥＰ１２でＹｅｓ（Ｙ））、信号通信手段２０２および登録要求手段２０３により、入力部に対応付けられた識別情報と、識別情報の登録に係る処理命令を示す操作信号の生成とが、照明装置３へ送信される（ステップＳＴＥＰ１３）。ユーザによる押下が、１つの入力部のみに対して行われた場合（ステップＳＴＥＰ１２でＮｏ（Ｎ））、押下が行われる直前の状態へと遷移し、操作装置２および照明装置３の電源状態はオンのままとなる。
【００６０】
なお、入力部の押下は、照明装置３の電源がオン状態になってから所定時間、操作モジュールＣ２２側で受け付ける、というような構成が好ましい。なお、押下される異なる２つの入力部は、当該識別情報に対応付けられた入力部を含む。
【００６１】
登録受付手段３０３は、操作装置２に係る識別情報を受信した後、有効識別情報の登録処理フェーズへ遷移する。なお、登録に係る処理は、データ処理部Ｃ３２１における識別情報の格納を含む。
【００６２】
データ処理部Ｃ３２１において、有効識別情報として登録されている識別情報の数が、所定数未満である場合（ステップＳＴＥＰ１４でＹｅｓ（Ｙ））、登録受付手段３０３は当該識別情報を、有効識別情報として、データ処理部Ｃ３２１に格納する処理を開始する（ステップＳＴＥＰ１５）。このとき、有効識別情報としての登録が開始されたことを示す情報を、フラグ情報として操作装置２に送信するような構成が好ましい。
データ処理部Ｃ３２１において、有効識別情報として登録された識別情報の数が、所定の数と同値であった場合（ステップＳＴＥＰ１４でＮｏ（Ｎ））、識別情報の登録処理フェーズは終了し、操作装置２における入力部の押下が行われる直前へと遷移し、操作装置２および照明装置３の電源はオン状態のままとなる。
【００６３】
有効識別情報の登録処理が開始された場合、照度調整手段３０４は、所定の周期時間等により表現される点滅パターンを示す操作信号に基いて、照明部Ｃ３２２の照度を調整する（ステップＳＴＥＰ１６）。有効識別情報の登録に係る処理が行われている間、点滅処理は継続される。当該点滅処理が完了した後に、有効識別情報の登録処理が完了する（ステップＳＴＥＰ１７）。
このとき、所定の点滅パターンを示す操作信号は、識別情報とともに送信される構成が好ましい。また、当該点滅パターンは予めデータ処理部Ｃ３２１に格納され、ステップＳＴＥＰ１６において、照度調整手段３０４により参照されるような構成としてもよい。
【００６４】
有効識別情報の登録要求または解除要求に係るユーザ操作は異なる構成が好ましい。具体的には、登録要求の場合は、異なる２つの入力部が長時間、押下されることを転機として登録要求に係る信号が生成される。また、解除要求の場合は、識別情報に対応付けられた入力部が連打されることを転機として解除要求に係る信号が生成される。
なお、有効識別情報の解除要求に係る処理は、図５（ａ）が図示する処理フローチャートの内、登録件数に依る処理の条件分岐（ステップＳＴＥＰ１４）を含めず、１つの入力部の連打を転機として、有効識別情報の解除に係る処理命令を示す操作信号および識別情報の送受信が行われる構成が好ましい。
【００６５】
図５（ｂ）は、照明制御を行う際の処理フローチャートを示す。
まず、操作装置２および照明装置３の電源をオンにする（ステップＳＴＥＰ２１）。
【００６６】
操作装置２における入力部が押下されることにより（ステップＳＴＥＰ２２でＹｅｓ（Ｙ））、ＰＷＭ指示信号Ｓｐが信号制御部Ｃ２２２へ入力され、信号生成手段２０１は、ＰＷＭ信号Ｓｐｗｍを、操作信号として生成する（ステップＳＴＥＰ２３）。
なお、入力部の押下が行われない場合（ステップＳＴＥＰ２２でＮｏ（Ｎ））、操作装置２および照明装置３の電源をオン状態のままとする。
【００６７】
生成された操作信号および入力部に対応付けられた識別情報は、信号通信手段２０２により、照明装置３へと送信される（ステップＳＴＥＰ２４）。
【００６８】
信号管理手段３０１は、操作信号および識別情報を受信した後、データ処理部Ｃ３２１に格納された有効識別情報を参照する。受信した識別情報と、データ処理部Ｃ３２１に格納された、有効識別情報と、が一致した場合（ステップＳＴＥＰ２５でＹｅｓ（Ｙ））、照度調整手段３０４は、受信した操作信号に基づき、照明部Ｃ３２２の照度およびその経時変化を調整する。受信した識別情報と有効識別情報と、が一致しない場合（ステップＳＴＥＰ２５でＮｏ（Ｎ））、操作信号に基いた照明制御は実行されず、操作装置２における入力部の押下が行われる直前の状態へと遷移する。
【００６９】
本実施形態に係る１または複数の照明装置３に対する照明制御の処理手順を示すシーケンス図を、図６に示す。
【００７０】
操作装置２が有する入力部に対して、ユーザによる押下が行われた場合、当該入力部に対応付けられた識別情報が、照明装置３に対して送信される。照明装置３は、ハンドシェイク通信の一環として、照明装置３の照明ステータスを含むフラグ情報を、操作装置２に送信する。このとき、フラグ情報は、照明装置３が有する照明部Ｃ３２２が、点灯または消灯状態のいずれかにあることを示す情報を含む。具体的には、操作装置２は、照明装置３が所定の照度を有する場合、当該照明装置３が点灯状態であると判定する。
【００７１】
操作装置２は、照明ステータスに係る情報を受信した後、照明ステータスに係る情報に基いて、操作信号を照明装置３に送信する。操作装置２は、点灯状態の照明装置３が１以上有る場合、消灯指示を示す操作信号を照明装置３に送信する。操作装置２は、点灯状態の照明装置３が無い場合、点灯指示を示す操作信号を、複数の照明装置３に送信する。
【００７２】
なお、操作装置２は、点灯状態の照明装置３が１以上有る場合、点灯状態の照明装置３のみに対して、消灯指示を示す操作信号を送信するような構成としてもよい。
【００７３】
図７は、操作装置２に係る有効識別情報の登録を、図示している。図７（ａ）、７（ｂ）、７（ｃ）はそれぞれ、照明装置３における電源のオンオフを示す状態、識別情報の登録要求の有無に係る状態、照明装置３における照明部Ｃ３２２の状態、を示している。
【００７４】
図７（ａ）において、照明装置３の電源がオン状態になったとき（図５（ｂ）、ステップＳＴＥＰ２１と同様）、図７（ｂ）が示すとおり、識別情報の登録要求が実行されることで（図５（ｂ）、ステップＳＴＥＰ２２でＹｅｓ（Ｙ））、操作装置２に対応付けられた識別情報の登録処理フェーズが始まる場合がある。
当該識別情報の有効識別情報としての登録が行われた場合（図５（ｂ）、ステップＳＴＥＰ２７）、照明装置３における照明部Ｃ３２２の点滅が行われる（図５（ｂ）、ステップＳＴＥＰ２８）。このとき、照明部Ｃ３２２は、図７（ｃ）が示すような、所定の点滅パターンに基いて、制御される。初期時間Ｔ１、点滅時間Ｔ２、単位点滅時間Ｔ３、末期時間Ｔ４の値はそれぞれ、特に制限はない。
【００７５】
識別情報の登録処理フェーズ中の、初期時間Ｔ１の間は、登録準備処理として、操作装置２から送信された識別情報の受信、および、データ処理部Ｃ３２１における有効識別情報の参照が行われる。点滅時間Ｔ２の間は、有効識別情報として識別情報が登録されるような構成としても良い。このとき、末期時間Ｔ４の間は、登録が完了したことを通知し、単位点滅時間Ｔ３の設定により、固有の点滅パターンが表現される。
なお、入力部または操作信号に応じて、初期時間Ｔ１、点滅時間Ｔ２、単位点滅時間Ｔ３、末期時間Ｔ４を異なる値とするような構成としてもよい。
【００７６】
本発明によれば、空間配置自由度を維持しながら、操作装置２と、無線ネットワークとを介して、調光等を含む照明制御ができる。
【００７７】
さらに、照明具と操作部を、異なる部屋に割り当て、制御することができるため、自由度の高いインテリアデザインに寄与する。
【００７８】
さらに、配置・交換の自由をより高めた照明制御システムを提供ことができる。
【符号の説明】
【００７９】
１  照明制御システム
２、２Ａ、２Ｂ、２Ｃ  操作装置
３、３Ａ、３Ｂ、３Ｃ  照明装置
Ｃ２  操作回路
Ｃ３  照明回路
Ｃ２１、Ｃ３１  電源モジュール
Ｃ２２  操作モジュール
Ｃ２２１、Ｃ３２１  データ処理部
Ｃ２２２、Ｃ３２４  信号制御部
Ｃ２２３、Ｃ３２３  通信部
Ｃ２２４  入力部
Ｃ３２  照明モジュール
Ｃ３２２  照明部
ＮＷ  ネットワーク
２０１  信号生成手段
２０２、３０２  信号通信手段
２０３  登録要求手段
３０１  信号管理手段
３０３  登録受付手段
３０４  照度調整手段
ＥＮＶ  屋内環境
ＰＩＤ  パネル識別番号
ＳＩＤ  スイッチ識別番号
Ｐ１、Ｐ２  操作パネル
Ｐ１１、Ｐ１２、Ｐ１３、Ｐ１４、Ｐ１０１、Ｐ１０２、Ｐ１０３、Ｐ１０４、Ｐ１０５、Ｐ１０６  入力部
ＰＸ１  タッチパネル部
ＰＸ２  制御部
ＰＸ３  パネル枠
ＰＸ４  パネルボディ
ＰＸ５  パネル取付枠
Ｔ１  初期時間
Ｔ２  点滅時間
Ｔ３  単位点滅時間
Ｔ４  末期時間
【図１】
2019212593.tif 000003
【図２】
2019212593.tif 000004
【図３】
2019212593.tif 000005
【図４】
2019212593.tif 000006
【図５】
2019212593.tif 000007
【図６】
2019212593.tif 000008
【図７】
2019212593.tif 000009
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
１または複数の入力部を含む操作装置と、複数の照明装置と、を備える照明制御システムであって、
前記操作装置は、前記照明装置に対する操作信号の生成を行う信号生成手段と、
通信部および無線ネットワークを介して、前記操作信号および前記入力部を識別するための識別情報を送受信する信号通信手段と、を備え、
前記照明装置は、受信した前記操作信号および前記識別情報を格納する信号管理手段と、
前記操作信号に基いて、前記照明装置の照度を調整する照度調整手段と、を備え、
前記信号通信手段は、前記識別情報を前記照明装置に送信した際、前記照明装置の照度に係る情報を、受信し、
前記信号生成手段は、複数の前記照明装置の内、所定の照度を有し、点灯状態を示す前記照明装置が１以上有る場合、少なくとも、点灯状態を示す前記照明装置を、消灯状態に遷移させる操作信号を生成し、
複数の前記照明装置の内、所定の照度を有し、点灯状態を示す前記照明装置が無い場合、複数の前記照明装置を全て点灯状態に遷移させる操作信号を生成することを特徴とする照明制御システム。
【請求項２】
前記信号管理手段は、前記照明装置に係る電源がオン状態へ遷移した後に複数の前記入力部が押下されることを転機として、前記入力部に対応付けられる前記識別情報を、有効識別情報として登録し、前記入力部が連打されることを転機として、連打された前記入力部に係る有効識別情報の解除が行うこと、を特徴とする請求項１に記載の照明制御システム。
【請求項３】
前記照度調整手段は、前記有効識別情報として登録された、前記識別情報に対応付けられた前記操作信号に基づき、前記照明装置の照度を調整することを特徴とする請求項２に記載の照明制御システム。
【請求項４】
前記信号生成手段は、パルス幅変調信号を生成し、
前記識別情報と、前記パルス幅変調信号を含む前記操作信号と、を対応付けることを特徴とする請求項２または３記載の照明制御システム。
【請求項５】
前記信号生成手段は、所定の点滅パターンを示す前記操作信号を、生成し、
前記照度調整手段は、前記点滅パターンに基づき、前記照明装置の照度を調整することを特徴とする請求項２〜４のいずれかに記載の照明制御システム。
【請求項６】
前記入力部は、ＬＥＤ光源を備え、押下に応じて当該ＬＥＤ光源に係る照度が上昇することを特徴とする請求項１〜５のいずれかに記載の照明制御システム。
【請求項７】
１または複数の入力部を含む操作装置と、複数の照明装置と、を備える照明制御方法であって、
前記操作装置は、前記照明装置に対する操作信号の生成を行う信号生成ステップと、
通信部および無線ネットワークを介して、前記操作信号および前記入力部を識別するための識別情報を送受信する信号通信ステップと、を備え、
前記照明装置は、受信した前記操作信号および前記識別情報を格納する信号管理ステップと、
前記操作信号に基いて、前記照明装置の照度を調整する照度調整ステップと、を備え、
前記信号通信ステップは、前記識別情報を前記照明装置に送信した際、前記照明装置の照度に係る情報を、受信し、
前記信号生成ステップは、複数の前記照明装置の内、所定の照度を有し、点灯状態を示す前記照明装置が１以上有る場合、少なくとも、点灯状態を示す前記照明装置を、消灯状態に遷移させる操作信号を生成し、
複数の前記照明装置の内、所定の照度を有し、点灯状態を示す前記照明装置が無い場合、複数の前記照明装置を全て点灯状態に遷移させる操作信号を生成することを特徴とする照明制御方法。
【請求項８】
１または複数の入力部を含む操作装置と、複数の照明装置と、を備える照明制御プログラムであって、
前記操作装置を、前記照明装置に対する操作信号の生成を行う信号生成手段と、
通信部および無線ネットワークを介して、前記操作信号および前記入力部を識別するための識別情報を送受信する信号通信手段と、として機能させ、
前記照明装置を、受信した前記操作信号および前記識別情報を格納する信号管理手段と、
前記操作信号に基いて、前記照明装置の照度を調整する照度調整手段と、として機能させ、
前記信号通信手段は、前記識別情報を前記照明装置に送信した際、前記照明装置の照度に係る情報を、受信し、
前記信号生成手段は、複数の前記照明装置の内、所定の照度を有し、点灯状態を示す前記照明装置が１以上有る場合、少なくとも、点灯状態を示す前記照明装置を、消灯状態に遷移させる操作信号を生成し、
複数の前記照明装置の内、所定の照度を有し、点灯状態を示す前記照明装置が無い場合、複数の前記照明装置を全て点灯状態に遷移させる操作信号を生成することを特徴とする照明制御プログラム。
【手続補正２】
【補正対象書類名】明細書
【補正対象項目名】００１４
【補正方法】変更
【補正の内容】
【００１４】
本発明の好ましい形態では、信号通信手段は、識別情報を照明装置に送信した際、照明装置の照度に係る情報を、受信し、信号生成手段は、複数の照明装置の内、所定の照度を有し、点灯状態を示す照明装置が１以上有る場合、少なくとも、点灯状態を示す照明装置を、消灯状態に遷移させる操作信号を生成し、複数の照明装置の内、所定の照度を有し、点灯状態を示す照明装置が無い場合、複数の照明装置を全て点灯状態に遷移させる操作信号を生成することを特徴とする。
このような構成とすることで、複数の照明装置を一括して制御できる。